(57)【要約】【課題】最大ゲインで使用される受信信号強度の範囲を狭くして歪み特性を改善する。【解決手段】受信信号強度が大きくなるに従って利得が複数段階に低くなるように切り替えられると共に受信信号を中間周波信号に変換するコンバータ１と、コンバータ１の利得を切り替えるベースバンド処理回路５とを備え、コンバータ１は、最大利得時のベースバンド処理回路５における許容エラーレートを保証する最低レベルの受信信号が入力された時のコンバータ１の出力レベルの点で利得が低い方に切り替えられ、コンバータ１が最大利得のモードに設定された時にはコンバータ１に減衰手段ＡＴＴを介挿して中間周波信号のレベルを下げた。【選択図】        図１
2004363865.tif 000002
【特許請求の範囲】
【請求項１】
受信信号強度が大きくなるに従って利得が複数段階に低くなるように切り替えられると共に受信信号を中間周波信号に変換するコンバータと、前記コンバータの前記利得を切り替えるベースバンド処理回路とを備え、前記コンバータは、最大利得時の前記ベースバンド処理回路における許容エラーレートを保証する最低レベルの受信信号が入力された時の前記コンバータの出力レベルの点で利得が低い方に切り替えられ、前記コンバータが最大利得のモードに設定された時には前記コンバータに減衰手段を介挿して前記中間周波信号のレベルを下げたことを特徴とする受信回路。
【請求項２】
前記コンバータの利得を３段階に切り替えたことを特徴とする請求項１に記載の受信回路。
【発明の詳細な説明】
【０００１】
【発明の属する技術分野】
本発明は、ＣＤＭＡ方式の無線電話装置等に使用される受信回路に関する。
【０００２】
【従来の技術】
従来の受信回路を図３に示す。低雑音増幅器（ＬＮＡ）３０はスイッチ３２によりバイパスすることができる。ＬＮＡ３０をバイパスすることによりＬＮＡ３０は不能となり電力を引き込まない。従って、ＬＮＡ３０をバイパスすることは無線電話の全所要電力を減少する。
【０００３】
ＬＮＡ３０又はスイッチ３２の出力は帯域フィルタ３４のような中間のフィルタに与えられフィルタ３４の出力は可変ゲインミキサ４６に与えられる。可変ゲインミキサ４６は増幅器要素３８とミキサ要素４０を持つように図示される。可変ゲインミキサ４６の増幅器３８もまたスイッチ４２によりバイパスすることができる。増幅器３８をバイパスすることにより増幅器３８は不能にされ、無線電話の電力要求を増加しない。
【０００４】
そして、無線電話がＣＤＭＡモードで使用され、受信信号強度が−９４ｄＢｍ〜−８４ｄＢｍの範囲では、スイッチ３２がオフされ、スイッチ４２がオンされる。そして、ＬＮＡ３０は高遮断点（＋６ｄＢｍのインターセプトポイント）で１４ｄＢのゲインを持つように設定され、ミキサ４６は５ｄＢのゲインを持つように設定される。よって、トータルのゲインは１９ｄＢとなる。
【０００５】
また、受信信号強度が−８４ｄＢｍ〜−６０ｄＢｍの範囲では、スイッチ３２がオンされ、スイッチ４２がオフされる。そして、ＬＮＡ３０は動作不能とされる。よって、ＬＮＡ３０のゲインは−５ｄＢに設定され、ミキサ４６は１５ｄＢのゲインに設定される。トータルのゲインは１０ｄＢとなる。
また、受信信号強度が−６０ｄＢｍ以上では、スイッチ３２、４２がオンされる。そして、ＬＮＡ３０のゲインは−５ｄＢに設定され、ミキサ４６はのゲインは５ｄＢに設定される。トータルのゲインは０ｄＢとなる。
【０００６】
以上のように、受信信号の強度に対応して、ＬＮＡ３０のゲインとミキサ４６のゲインを制御するすることで、電力消費と直線性との妥協点を得るようにしている（例えば、特許文献１参照。）。
【０００７】
【特許文献１】
特表２００２−５２２９３８号公報（図２、図３）
【０００８】
【発明が解決しようとする課題】
上記構成では受信信号強度が−８４ｄＢｍと−６０ｄＢｍの２点でゲインが切り替わり、切替ポイント−８４ｄＢｍよりも低いレベルでは最も大きなゲイン（１９ｄＢ）で動作する。
一方、この種の無線電話では、所定の受信信号強度で歪み特性（直線性）を測定するように規定されているが、この測定すべきポイントが切替ポイントよりも若干低いレベル（例えば−８５ｄＢｍ）に設定されていると、上記受信回路は最大のゲインの状態で測定されることとなり、結果的に歪み特性が悪くなるという問題がある。また、実使用上でも歪み特性が悪くなる。
【０００９】
本発明は、最大ゲインで使用される受信信号強度の範囲を狭くして歪み特性を改善することを目的とする。
【００１０】
【課題を解決するための手段】
上記課題を解決する手段として、本発明は、受信信号強度が大きくなるに従って利得が複数段階に低くなるように切り替えられると共に受信信号を中間周波信号に変換するコンバータと、前記コンバータの前記利得を切り替えるベースバンド処理回路とを備え、前記コンバータは、最大利得時の前記ベースバンド処理回路における許容エラーレートを保証する最低レベルの受信信号が入力された時の前記コンバータの出力レベルの点で利得が低い方に切り替えられ、前記コンバータが最大利得のモードに設定された時には前記コンバータに減衰手段を介挿して前記中間周波信号のレベルを下げた。
【００１１】
また、前記コンバータの利得を３段階に切り替えた。
【００１２】
【発明の実施の形態】
図１に本発明の受信回路を示す。コンバータ１は低雑音増幅器（ＬＮＡ）１ａと、ＬＮＡ１ａで増幅された受信信号を中間周波信号に変換するミキサ１ｃと、ＬＮＡ１ａとミキサ１ｃとの間に介挿されたフィルタ１ｂと、中間周波信号を減衰し、あるいは減衰せずに出力する減衰切替手段１ｄと、その次段に設けられたフィルタ１ｅとを有する。ＬＮＡ１ａは可変利得増幅器として構成され、ミキサ１ｃも変換利得が可変となっている。減衰切替手段１ｄは減衰手段ＡＴＴとそれをバイパスするためのスイッチ手段ＳＷとを有する。
【００１３】
フィルタ１ｅから出力される中間周波信号はＡＧＣアンプ２を経て復調器によって復調される。復調された信号はＡ／Ｄ変換器４によってデジタル信号に変換され、その後はベースバンド処理回路によって処理される。
【００１４】
ここで、ベースバンド処理回路５は、ＡＧＣアンプ２の出力レベルを一定にするためのＡＧＣ電圧を出力力してＡＧＣアンプ２の利得を制御すると共に、ＬＮＡ１ａに入力される受信信号の強度によってコンバータ１のゲイン（ＬＮＡ１ａとミキサ１ｃとのトータルゲイン）を、例えばＡｄＢと、ＢｄＢ（＝Ａ−１５ｄＢ）と、ＣｄＢ（＝Ｂ−７ｄＢ＝Ａ−２２ｄＢ）の３段階に切り替えて受信感度と妨害特性との両立を図るように制御信号を出力する。
【００１５】
コンバータ１のゲインの切替は、例えば、ベースバンド処理回路５における許容エラーレートが保証されるコンバータ１への最低の受信信号レベルを基準として行われる。例えば、最低の受信信号レベルが−１０４ｄＢｍで、その時のコンバータ１の出力レベルが図２に示すようにＲ０であった場合、コンバータ１のゲインはその出力レベルがＲ０以上となるように、−１０４ｄＢｍ〜−８９ｄＢｍの範囲では最大ゲインＡｄＢ（高ゲインモード）に切り替えられ、−８９ｄＢｍ〜−８２ｄＢｍの範囲では中間のゲインＢｄＢ（中ゲインモード）に切り替えられ、−８２ｄＢｍ以上の範囲では最低のゲインＣｄＢ（低ゲインモード）に切り替えられるようになっている。
【００１６】
従って、コンバータ１への受信信号レベルに対応する出力レベルは太実線のようになる。また、コンバータ１の出力レベルは高ゲインモードのときに−８９ｄＢｍで最大値ａとなり、中ゲインモードの時には−８２ｄＢｍでそれよりも８ｄＢ低いｂ（＝ａ−８ｄＢ）となる。
【００１７】
よって、高ゲインモードでは、受信信号レベルが−９０ｄＢｍ程度になるとコンバータ１の出力レベルが大きくなるので（Ｘ点）、コンバータ１自身の歪みが大きくなると共に、ＡＧＣアンプ２も歪むことになり、この受信信号レベルでは悪化したデータが測定される。そこで、本発明では、ベースバンド処理回路５からの制御信号によって高ゲインモードの時だけスイッチ手段ＳＷをオフにして中間周波信号を、例えば４ｄＢ減衰する。すると、高ゲインモード時の出力レベルは４ｄＢ低下し、−１０４ｄＢｍの受信信号レベルにおける基準出力レベルはＲ１（Ｒ０−４ｄＢ）となる。
【００１８】
すなわち、コンバータ１のゲインが切り替えられるときの出力レベルはＲ１となるので、コンバータ１への受信信号レベルに対応する出力レベルは太点線のようになって、受信信号レベルが−９３ｄＢｍ以上になるとコンバータ１は中ゲインモードに切り替えられ、最大ゲインで使用される受信信号レベルの範囲が狭くなる。よって−９０ｄＢｍの入力レベルに対応する出力レベルはＹ点に移動する。
【００１９】
この結果、受信信号レベルが−１０４ｄＢｍ〜−９３ｄＢｍの範囲ではコンバータ１の出力レベルは４ｄＢ低下するのでＡＧＣアンプ２の歪みが改善し、−９３ｄＢｍ〜−８９ｄＢｍの範囲ではコンバータ１そのもののゲインが低下すると共に、その出力レベルが１５ｄＢ低下するので、コンバータ１だけでなくＡＧＣアンプ２の歪みも改善する。
【００２０】
受信信号レベルが−８２ｄＢｍ以上になればコンバータ１はその出力レベルがＲ０の点で低ゲインモードに切り換えられるので、中ゲインモードでの最大出力レベルも低く押さえられて歪みに対して有利である。
【００２１】
【発明の効果】
以上のように、本発明は、受信信号強度が大きくなるに従って利得が複数段階に低くなるように切り替えられると共に受信信号を中間周波信号に変換するコンバータと、コンバータの利得を切り替えるベースバンド処理回路とを備え、コンバータは、最大利得時のベースバンド処理回路における許容エラーレートを保証する最低レベルの受信信号が入力された時のコンバータの出力レベルの点で利得が低い方に切り替えられ、コンバータが最大利得のモードに設定された時にはコンバータに減衰手段を介挿して中間周波信号のレベルを下げたので、コンバータはその出力レベルが下がった点で低い方の利得に切り替えられる。よって、最大利得で使用される受信信号レベルの範囲が狭くなってその出力レベルは低下するので歪みが改善される。
【００２２】
また、コンバータの利得を３段階に切り替えたので、中ゲインモードでの最大出力レベルも低く押さえられて歪みに対して有利である。
【図面の簡単な説明】
【図１】本発明の受信回路の構成を示す回路図である。
【図２】本発明の受信回路における受信信号レベルに対する出力レベルの関係図である。
【図３】従来の受信回路の構成を示す回路図である。
【符号の説明】
１  コンバータ
１ａ  低雑音増幅器
１ｂ  フィルタ
１ｃ  ミキサ
１ｄ  減衰切替手段
ＡＴＴ  減衰手段
ＳＷ  スイッチ手段
１ｅ  フィルタ
２  ＡＧＣアンプ
３  復調器
４  Ａ／Ｄ変換器
５  ベースバンド処理回路
【図１】
2004363865.tif 000003
【図２】
2004363865.tif 000004
【図３】
2004363865.tif 000005